(57)【特許請求の範囲】
【請求項１】
収納箱の上面に形成された窓を、スリットを有するポリエチレンフィルムシートが内側から覆っており、前記収納箱内部に２枚重ね状態で多数枚の折り重ねられたティシュペーパーを順次前記スリットを通して取り出すように収納して成るティシュペーパーの収納体であって、
前記多数枚のティシュペーパーは、その単位ティシュペーパーを取り出し終了時点で後続のティシュペーパーが前記スリットから出るように折り重ねられており、
前記収納箱の高さが４５〜５５ｍｍとされており、
前記スリットは、前記ティシュペーパーの横方向と沿うように形成されており、
前記スリットの開口可能長さが、前記ティシュペーパーの横方向の長さの７２〜９０％とされ、
前記ティシュペーパーのＮＢＫＰ：ＬＢＫＰの割合が１０：９０〜７０：３０であり、ＪＩＳ  Ｐ  ８１２４に基づく坪量が１１．０〜１６．０ｇ／ｍ2であり、ＪＩＳ Ｐ  ８１１３に基づく乾燥時の縦方向の引張強さが横方向の引張強さの１．５〜４．０倍であり、クレープ数が３０〜５５本／ｃｍであり、縦方向の伸び率が７〜２０％であり、ＪＩＳ Ｐ  ８１１３に基づく乾燥時の縦方向の引張強さが１６０Ｎ／ｍ以下であり、
前記ティシュペーパーは、乾燥機内で６０℃で放置後におけるティシュペーパー束の復元率が２０％以下となり、且つ、製品化段階での見掛けの密度が０．１０〜０．２０ｇ／ｃｍ3となるように前記収納箱に収納されていることを特徴とするティシュペーパーの収納体。
【請求項２】
前記ティシュペーパーのＪＩＳ Ｐ  ８１１３に基づく湿潤時の横方向の引張強さが３２Ｎ／ｍ以上とされている、請求項１に記載のティシュペーパーの収納体。
【発明の詳細な説明】
【０００１】
【発明の属する技術分野】
本発明は、特に、収納厚さを薄くする場合に好適な、ティシュペーパーの収納体に関する。
【０００２】
【従来の技術】
ティシュペーパー、トイレットペーパー、ちり紙等の衛生用紙は、その利便性から、今日では生活必需品とされている。そして、これらの衛生用紙は、ティシュペーパーであれば一般的に箱の上面に形成された窓を内側からスリットを有するシートが覆っており、内部の衛生薄葉用紙を順次前記スリットを通して取り出すようにした収納箱に収納されている。このようにして収納される衛生薄葉用紙は、手触りの良さ、ふんわりした感触とともに、取り出し時に破断せず、かつ使用に耐え得る十分な強度も要求される。
【０００３】
【発明が解決しようとする課題】
ティシュペーパーの場合、多くは木材パルプ１００％を原料としており、手触りの良さ、ふんわりした感触を得るための、細胞壁の薄い木材繊維を使用する方法や柔軟剤を混入する方法が知られている。後者の強度の観点からは、強度の高い木材繊維の配合率を高める、叩解処理を行う方法がある。
【０００４】
しかし、前者の方法に従って特別な木材繊維を使用することはコスト高に直接つながり、強度を高める方向で検討すると、手触りの良さ、ふんわりした感触を阻害する要因となる。
【０００５】
他方、近年では、ティシュペーパーの購入時における持ち運びの便利さや、意匠性の観点から、収納枚数を減じないで、収納箱の厚さを薄くする努力がなされている。この場合、製品を購入し開口部を開封し、ティシュペーパーのスリットからの初期の取り出し時においては、いま取り出そうとするティシュペーパーと内部のティシュペーパー束との間の隙間が小さく、取り出しに際しティシュペーパーがやぶけてしまう虞が大きくなる。
【０００６】
この取り出し時のティシュペーパーの破断は、収納箱が厚く、従って枚葉当たりの坪量が比較的大きく、強度がある程度高い場合には問題にならなかったが、収納枚数を減じないで、収納箱の厚さを薄くする、従って枚葉当たりの坪量を小さくしようとする場合には、大きな問題点としてあらわれることが知見された。
【０００７】
そこで、本発明の課題は、ティシュペーパーを破断することなく収納箱から取り出すことができ、さらに手触りの良さ、ふんわりした感触を与え、かつ十分な強度を有するティシュペーパーの収納体を提供することにある。
【０００８】
【課題を解決するための手段】
上記課題を解決した本発明は、次記のとおりである。
＜請求項１記載の発明＞
収納箱の上面に形成された窓を、スリットを有するポリエチレンフィルムシートが内側から覆っており、前記収納箱内部に２枚重ね状態で多数枚の折り重ねられたティシュペーパーを順次前記スリットを通して取り出すように収納して成るティシュペーパーの収納体であって、
前記多数枚のティシュペーパーは、その単位ティシュペーパーを取り出し終了時点で後続のティシュペーパーが前記スリットから出るように折り重ねられており、
前記収納箱の高さが４５〜５５ｍｍとされており、
前記スリットは、前記ティシュペーパーの横方向と沿うように形成されており、
前記スリットの開口可能長さが、前記ティシュペーパーの横方向の長さの７２〜９０％とされ、
前記ティシュペーパーのＮＢＫＰ：ＬＢＫＰの割合が１０：９０〜７０：３０であり、ＪＩＳ  Ｐ  ８１２４に基づく坪量が１１．０〜１６．０ｇ／ｍ2であり、ＪＩＳ Ｐ  ８１１３に基づく乾燥時の縦方向の引張強さが横方向の引張強さの１．５〜４．０倍であり、クレープ数が３０〜５５本／ｃｍであり、縦方向の伸び率が７〜２０％であり、ＪＩＳ Ｐ  ８１１３に基づく乾燥時の縦方向の引張強さが１６０Ｎ／ｍ以下であり、
前記ティシュペーパーは、乾燥機内で６０℃で放置後におけるティシュペーパー束の復元率が２０％以下となり、且つ、製品化段階での見掛けの密度が０．１０〜０．２０ｇ／ｃｍ3となるように前記収納箱に収納されていることを特徴とするティシュペーパーの収納体。
【０００９】
＜請求項２記載の発明＞
前記ティシュペーパーのＪＩＳ Ｐ  ８１１３に基づく湿潤時の横方向の引張強さが３２Ｎ／ｍ以上とされている、請求項１に記載のティシュペーパーの収納体。
【００１０】
【００１１】
【００１２】
【００１３】
【００１４】
【発明の実施の形態】
以下、本発明の実施の形態を詳説する。なお、ティシュペーパーの縦方向及び横方向については、抄紙の流れ方向を縦方向、直角方向を横方向とする。これは、箱内の収納段階では、箱の長手方向が横方向、短方向が縦方向となる。また、以下の形態では、２枚重ね（２プライ）の場合について述べるが、枚葉（１プライ）のものも可能である。重ね枚数としては、２枚重ね（２プライ）のものを２００組、合計４００枚のものが好適であるので、以下の説明もこの場合を基本としている。
【００１５】
（収納箱）
本発明に係るティシュペーパーの収納箱は、図１に示すように、箱１の上面に形成された窓１Ａをスリット２Ａを有するシート２が内側から覆っており、内部のティシュペーパー３を順次前記スリット２Ａを通して取り出すようにした収納箱である。ここに窓１Ａは、箱１の上面にミシン目などの切りこみ目が予め形成され、その切りこみ目で囲まれる部分を剥ぎ取ることにより、形成される公知の構成のものである。
【００１６】
シート２は、窓１Ａのサイズより大きく、例えば図示のように方形とし、箱の上面に内側より接着剤により接着する。また、本実施の形態では、シート２として、ポリエチレンフィルムシートを用いた。坪量は、１０ｇ／ｍ2未満では、強度的に不足し、ティシュペーパー３の取り出し時において裂けあるいは破断の確率が高くなる。逆に、３５ｇ／ｍ2を超えると、強度の問題はないものの、コスト高となるばかりでなく、取り出し時のノイズが大きくなる傾向にある。
【００１７】
シート２にはスリット２Ａが形成されているが、このスリット２Ａは、シート２を箱１の上面内側へ接着した状態において、窓１Ａの幅方向中央部に（箱１の長手方向（ティシュペーパー３の横方向）と沿うように形成されている。スリット２Ａの長さは、図２の（ａ）に示すように、窓１Ａの長手方向全長より短くすることが望ましいが、図２の（ｂ）に示すように、窓１Ａの長手方向全長と同じ長さにすることも、さらに、図２の（ｃ）に示すように、シート２の横方向長さより短い条件の下で、窓１Ａの長手方向全長より長くすることもできる。
【００１８】
この意味でのスリット２Ａの開口可能長さＬ（開口可能長さＬは、図２の（ａ）及び（ｂ）の場合であればスリット２Ａの全長、図２の（ｃ）の場合であれば、窓１Ａの長手方向全長となる。）は、本発明に従って、ティシュペーパー３の横方向長さ３ａの７２〜９０％とされる。より好ましい範囲は７６〜８５％である。
【００１９】
現在市販のコンパクトタイプのティシュペーパーにおいては、衛生薄葉用紙のサイズは縦が１９７ｍｍ、横が２２９ｍｍであり、収納箱のサイズは長さ２４０ｍｍ、幅１１５ｍｍ、高さ６５ｍｍであり、スリットは通常は図２の（ａ）の形態で形成され、そのスリット長さは、約１６０ｍｍであり、スリットの有効長さは、ティシュペーパーの横方向の長さの約７０％である。
【００２０】
また、ティシュペーパーは、通常は２枚重ねであり、その単位ティシュペーパーを取り出し終了時点で後続のティシュペーパーがスリットから出るように、インターホルダーにより折り重ねられている。
【００２１】
ティシュペーパー３を収納箱１から取り出すに際しては、ティシュペーパー３の側縁近傍の中央部における摘み部３Ｔを持って引き上げる。このとき、ティシュペーパー３の横方向端部が、引き上げに伴なって徐々にスリット２Ａの両端２ａ，２ｂに集まる。集まったティシュペーパー３が、スリット２Ａの両端２ａ，２ｂに引っ掛かりながら引き上げ動作がなされるため、いま引き上げ動作を行なっているティシュペーパー３に対して、摘み部３Ｔとスリット２Ａの両端２ａ，２ｂとを結ぶ部分に集中的に引張力Ｆ，Ｆが働く。特に取り出し動作の後半段階では、図３に概要を示すように、前述のように折り重ねによって後続のティシュペーパーも引き上げるための力も必要となり、その分の引張力が加算される。ティシュペーパーに作用する引張力Ｆについて、補足説明すると、取り出し時の前半では、Ｘ（ティシュペーパー３の横方向端部をスリット２Ａの両端２ａ，２ｂに集める力：後続のティシュペーパーとの摩擦力に抗して分離するための力も含まれる）＋Ｙ（ティシュペーパー３とスリット２Ａの両端２ａ，２ｂとの摩擦力に抗して引き上げる力）であり、後半では、ほぼＸ＋Ｙに対して、Ｚ（折り重ねによって後続のティシュペーパーも引き上げるための力）も加算される。
【００２２】
摘み部３Ｔとスリット２Ａの両端２ａ，２ｂとを結ぶ引張力Ｆは、ティシュペーパー３の横方向の破断力として作用する。そこで、本発明に従って、スリット２Ａの開口可能長さＬを長くすると、図４に模式的に示すように、同じ引張力Ｆであると仮定しても、ティシュペーパー３の縦方向の分力は小さいものとなる。したがって、ティシュペーパー３の横方向の破断力が小さいものとなる。しかも、現実としてＹ（ティシュペーパー３とスリット２Ａの両端２ａ，２ｂとの摩擦力に抗して引き上げる力）の力も小さいものとなる。
【００２３】
したがって、Ｚ力が加算したとしても、スリット２Ａの開口可能長さＬをティシュペーパー３の横方向長さ３ａの７２〜９０％とすると、通常の引き上げ動作によっては破断しないものとなる。ここで、その割合の下限値たる７２％と従来の７０％と数値的にはさしたる相違はないと考えるかもしれないが、後述の実施例及び比較例のように、さらに収納箱の高さを薄いもの（４５ｍｍ〜５５ｍｍ高さ）とする場合に特に顕著な相違がみられるものである。
【００２４】
前述のように、収納箱の高さが薄く、たとえば従来コンパクトタイプで６５ｍｍであった箱の高さをたとえば５０±２ｍｍと小さくする場合、枚葉ティシュペーパーの坪量を小さくする必要があるものの、その坪量の減小化には必要強度確保のために限界があるので、おのずから収納されたティシュペーパー３束により大きな圧力がかかることとなる。その結果、前述のＸ及びＺ力が大きくなり、ティシュペーパー３の破断が生じ易いものとなる。
【００２５】
この観点からも、横方向の引張強さを大きくする、特に濡れた手で引き上げる際に特に破断が生じるので、湿潤時の横方向の引張強さを３２Ｎ／ｍ以上とする改良のほか、スリットの有効長さを、ティシュペーパーの横方向の長さの７２〜９０％とすることに特別な意義があるものである。
【００２６】
上限を９０％とするのは、収納状態におけるティシュペーパー３の収まりを良くするため、シート２を箱１上面に接着する必要があるためである。なお、特に、ティシュペーパー３の大きさを４２０ｃｍ2以上とする場合において、窓１Ａの面積を７０ｃｍ2以上とするのが望ましい。
【００２７】
（ティシュペーパー）
本実施の形態に係るティシュペーパーは、常法により製造することができるが、好ましくは１００％木材パルプからなるものである。この場合、ＮＢＫＰ：ＬＢＫＰの割合としては、１０：９０〜７０：３０とされ、特に３５：６５〜５０：５０が好ましい。ＮＢＫＰの割合が高いほど、柔軟性を得ることができる。
【００２８】
本実施の形態に係るティシュペーパーは、ＪＩＳ  Ｐ  ８１２４に基づく坪量を１１．０〜１６．０ｇ／ｍ2とする。また、本実施の形態に係るティシュペーパーは、ＪＩＳ Ｐ  ８１１３に基づく湿潤時の横方向の引張強さを３２Ｎ／ｍ以上（より望ましくは３４Ｎ／ｍ以上）とするのが好ましい。２枚重ねでの坪量を１１．０〜１６．０ｇ／ｍ2（１枚では８．０〜１１．０ｇ／ｍ2）とすることにより、柔軟性と強度とのバランスを図ることができる。また、横方向の湿潤時の引張強さを３２Ｎ／ｍ以上（望ましくは３４Ｎ／ｍ以上）とすることにより強度が向上し、特に、取り出しの際にティシュペーパーがやぶれるのを防止することができる。
【００２９】
さらに、ティシュペーパーのＪＩＳ Ｐ  ８１１３に基づく乾燥時の縦方向の引張強さは、乾燥時の横方向の引張強さの１．５〜４．０倍とし、特に２．０〜３．５倍とするのが好ましい。乾燥時の縦方向の引張り強さを上げると、強度は増すものの柔軟性に劣る。縦方向の引張り強さを下げると、柔軟性は向上するものの強度に劣る。従来は、この比率が４．０倍を超えるものが主流であったが、本発明に従って、乾燥時の縦方向の引張強さを抑制し、その代わりに乾燥時の横方向の引張強さを高めるように調整することにより、手触りの良さ、ふんわりした感触を与え、かつ十分な強度を有するものを得ることができる。
【００３０】
ところで、本実施の形態に係るティシュペーパーのクレープ加工は、ティシュペーパーの縦方向の伸び率が７〜２０％となるよう行われ、好ましくは７〜１３％となるように行なうのが望ましい。また、クレープ数は３０〜５５本／ｃｍとされ、このために、クレープ率を１０〜２８％にするのが望ましい。
【００３１】
そして、クレープ率を１０〜２８％としたティシュペーパーは、収納箱に、その見掛け密度が０．１０〜０．２０ｇ／ｃｍ3となるように収納される。密度を０．１０ｇ／ｃｍ3以上とすることによりティシュペーパーの収まりを良くすることができ、０．２０ｇ／ｃｍ3以下とすることにより取り出しの際の破断を防止することができる。乾燥時の縦方向の引張強さが１６０Ｎ／ｍ以下、特に望ましくは１４０Ｎ／ｍ以下であれば、６０℃放置状態におけるティシュペーパー束の復元率が２０％以下となるようにされる。
【００３２】
【実施例】
以下、本発明の実施例を説明する。
（比較例５）
ティシュペーパーを本実施の形態で説明した収納箱から取り出す際の破断の有無、及び取り出したティシュペーパーの柔軟性を調べた。収納箱の大きさは、長さ２４３ｍｍ、幅１１５ｍｍ、高さ６５ｍｍとし、スリットは図２の（ａ）の形態で長さ１６５ｍｍ（ティシュペーパーの横方向の長さの約７２％）とした。また、ティシュペーパーは、サイズを縦１９７ｍｍ、横２２９ｍｍとし、１枚につき、坪量を１２．０ｇ／ｍ2、湿潤時の横方向の引張強さを３２Ｎ／ｍ、乾燥時の横方向の引張強さに対する乾燥時の縦方向の引張強さ（縦横比）を４．０倍、縦方向の伸び率を９．０％とした。ティシュペーパーは、収納箱に２枚重ねで２００組、合計４００枚収納した。評価方法は、次記のとおりとした。
破断枚数：まず、箱の上面のミシン目で囲まれる部分を剥ぎ取った後、２組のティシュペーパーを取り出した。その後、３０組のティシュペーパーを連続して取り出し、３０組のティシュペーパーのうち破断の生じたティシュペーパーの組数をカウントした。３０人が同様の方法で試験を行い、その平均カウント数を破断枚数とした。
柔軟性：３０名の使用者のうち５名以上の者が柔軟性が悪いと評価した場合を×とした。
（実施例３，５及び比較例１，２，６，７）
比較例５について、スリット有効長さ、収納箱の高さ、湿潤時の横方向の引張強さ、縦横比、を変化させて実施例２〜５、比較例１，２とした。なお、収納箱の高さを５０ｍｍとした際のティシュペーパーの見掛け密度は０．２０ｇ／ｃｍ3となっていた。評価結果を表１に示した。
【００３３】
【表１】
0004533543.tif 000002
【００３４】
表１より、スリット有効長さを７２％にすると取り出しの際に破断するティシュペーパーの数が減少することが、この効果は特に、収納箱の高さを薄くした場合（５０ｍｍ）に著しいことが知見された。また、縦横比を４．０以下にすると柔軟性に優れることが知見された。
【００３５】
（実施例６）
実施例３について、ティシュペーパーの縦横比を４．０倍としたのを縦方向への引張強さを１６０Ｎ／ｍに変えるとともに、坪量及び縦方向への伸び率を調整して６０℃放置状態におけるティシュペーパー束の復元率が２０％となるように収納し、実施例６とした。
（比較例３及び４）
実施例６について、縦方向への引張強さ及び復元率を変化させて比較例３または４とした。評価結果を表２に示した。
【００３６】
【表２】
0004533543.tif 000003
【００３７】
【発明の効果】
以上のとおり、本発明によれば、ティシュペーパーを破断することなく収納箱から取り出すことができ、さらに手触りの良さ、ふんわりした感触を与え、かつ十分な強度を有するティシュペーパーの収納体を得ることができる。
【図面の簡単な説明】
【図１】  本実施の形態に係る収納箱の斜視図である。
【図２】  本実施の形態に係る収納箱の平面図である。
【図３】  スリット端とティシュペーパーとの関係を示す斜視図である。
【図４】  力の作用の模式的説明図である。
【符号の説明】
１…収納箱、１Ａ…窓、２…シート、２Ａ…スリット、３…ティシュペーパー、Ｌ…スリットの開口可能長さ。
【図１】
0004533543.tif 000004
【図２】
0004533543.tif 000005
【図３】
0004533543.tif 000006
【図４】
0004533543.tif 000007